(57)【要約】【課題】  テープの径をテープ自体の性能に問題が生じることなく、容易に変更することができるテープ巻き直し装置を提供する。【解決手段】テープ巻き直し装置１は、テープ３が巻き付けられる円筒状のロール芯２を固定する従動軸５と、前記ロール芯２よりも小径で、前記ロール芯２から引き出したテープ３を巻き取る巻き替え芯４を固定する駆動軸６と、前記駆動軸６を回転させる電動ドライバーを連結する連結部７と、を備える、を備える。【選択図】図１
0003209784.tif 000002
【実用新案登録請求の範囲】
【請求項１】
円筒状のロール芯を固定する従動軸と、
前記ロール芯よりも小径で、前記ロール芯から引き出したテープを巻き取る巻き替え芯を固定する駆動軸と、
前記駆動軸を回転させる駆動手段を連結する連結部と、
を備えることを特徴とするテープ巻き直し装置。
【請求項２】
前記駆動手段は回転駆動する可搬式工具であることを特徴とする請求項１に記載のテープ巻き直し装置。
【請求項３】
前記駆動軸を複数備えるとともに、前記駆動手段は複数の前記駆動軸を回転させるものであり、
前記ロール芯から引き出されたテープを長手方向に切断するスリッターをさらに備え、
分割されたテープを前記駆動軸に固定された前記巻き替え芯にそれぞれ巻き取ることを特徴とする請求項１又は請求項２に記載のテープ巻き直し装置。
【請求項４】
前記スリッターは、前記テープの幅方向に移動可能であることを特徴とする請求項３に記載のテープ巻き直し装置。
【請求項５】
前記従動軸及び前記駆動軸を軸支するカバーを有し、
前記カバーは、前記駆動軸に固定され巻き替え芯に巻き取られるテープの径を確認可能な確認窓が形成されることを特徴とする請求項１から請求項４のいずれかに記載のテープ巻き直し装置。
【考案の詳細な説明】
【技術分野】
【０００１】
本考案は、市販されているテープを巻き直す装置に関し、特に、テープ径を小さくすることができるテープ巻き直し装置に関する。
【背景技術】
【０００２】
従来より、テープの幅を変更するためにロール状のテープを引き出して切断して巻き取るスリッター装置が知られている（特許文献１、特許文献２）。このような装置は、要するにテープの無駄な消費を防ぎ、細かな場所へのテープの貼り付けを可能とするものである。
【０００３】
ところで、例えば空気調和機のドレイン管などの配管にコーテープなどのテープを巻きつける作業のように現場で行われる作業において、ロール状に巻きつけられたテープの径を変更したい場合がある。例えば、ドレイン管などの配管は、建築物の美観向上の観点から当該建築物の外壁に接近して配置されている場合が多く、市販されているテープの径では、建築物と配管との隙間をテープのロールが通過することができず、そのままでは配管にテープを巻きつけることが困難な場合がある。また、建築物の出隅や入隅に沿って配管が湾曲している場合には、湾曲に沿ってテープを巻きつける必要があり、作業に熟練を要する場合がある。
【先行技術文献】
【特許文献】
【０００４】
【特許文献１】特開平０９−２１６１９０号公報
【特許文献２】特開２０１１−３６９２１号公報
【考案の概要】
【考案が解決しようとする課題】
【０００５】
上述のような場合に行われる施工方法としては、既に残量が少ないテープを取り置いて、テープが巻き付けられているロール芯を楕円状に変形させることで、建築物と配管との隙間にテープのロールを通過させて巻きつける方法がある。すなわち、残量が少なければテープの径が小さくなり、またロール芯を楕円に変形させることで、短軸の径をより小さくすることができ、建築物と配管との隙間が小さい場合でも通過させることができ、配管にテープを巻きつけることができるものである。この方法を用いる場合、まず残量の少ないテープを用意する必要があるので煩わしく、残量の少ないテープを保管する際に汚損や劣化の問題もある。また、残量が少ないので何度もテープを継ぎながら作業することになり、テープの色相の微妙な相違による意匠性の低下や、楕円に変形させたロール芯が復元して建築物の外壁を傷つけるおそれもある。
【０００６】
また、別の方法として、ロール芯からテープを引き出し、テープ自体を現場で手作業で巻いて使用する方法がある。この場合、ロール芯のない状態でテープを巻くので、径の小さなロールとすることができる。しかし、テープを手作業で巻く作業が時間を要し、また、テープの表面や粘着面に作業者が触れて、テープの粘着性や耐久性が劣化するおそれがある。また、テープ継ぎ目数が増加して水分侵入の原因となりやすく、断熱材を要する配管の場合、断熱材中の水分により冬季に凍上障害が発生させる原因となるほか、金属配管の場合発錆割合が増加して設備寿命を短命化させる原因となる問題がある。
【０００７】
そこで本考案は、テープの径をテープ自体の性能に問題が生じることなく、容易に変更することができるテープ巻き直し装置を提供することを目的とする。
【課題を解決するための手段】
【０００８】
本考案のテープ巻き直し装置は、円筒状のロール芯を固定する従動軸と、前記ロール芯よりも小径で、前記ロール芯から引き出したテープを巻き取る巻き替え芯を固定する駆動軸と、前記駆動軸を回転させる駆動手段を連結する連結部と、を備えることを特徴としている。
【０００９】
本考案のテープ巻き直し装置は、前記駆動手段は、回転駆動する可搬式工具に連結可能な連結部であることを特徴としている。
【００１０】
本考案のテープ巻き直し装置は、前記駆動軸を複数備えるとともに、前記駆動手段は複数の前記駆動軸を回転させるものであり、前記ロール芯から引き出されたテープを長手方向に切断するスリッターをさらに備え、分割されたテープを前記駆動軸に固定された前記巻き替え芯にそれぞれ巻き取ることを特徴としている。
【００１１】
本考案のテープ巻き直し装置は、前記スリッターは、前記テープの幅方向に移動可能であることを特徴としている。
【００１２】
本考案のテープ巻き直し装置は、前記従動軸及び前記駆動軸を軸支するカバーを有し、前記カバーは、前記駆動軸に固定され巻き替え芯に巻き取られるテープの径を確認可能な確認窓が形成されることを特徴としている。
【考案の効果】
【００１３】
本考案のテープ巻き直し装置によると、テープが巻き付けられたロール芯を従動軸に固定するとともに、ロール芯よりも小径の巻き替え芯を駆動軸に固定し、ロール芯からテープを引き出して、当該テープの端部を巻き替え芯に取り付けて、駆動手段により駆動軸を回転させることにより、きわめて簡単にロール芯から巻き替え芯にテープを巻き替えることができる。そして、巻き替え芯は、ロール芯よりも小径であるので、巻き替えられたテープのテープ径は元のテープ径よりも小さくすることができる。なお、ここでテープ径はロール芯又は巻き替え芯にテープが巻き付けられ円筒形状となった状態での外周の径をいう。
【００１４】
本考案のテープ巻き直し装置によると、駆動手段が、回転駆動する可搬式工具に連結可能な連結部であるので、可搬式工具の動力で簡単にテープを巻き直すことができる。
【００１５】
本考案のテープ巻き直し装置によると、スリッターがロール芯から引き出されたテープを長手方向に切断し、分割されたテープを駆動軸に固定された巻き替え芯にそれぞれ巻き取るので、簡単にテープの幅を細くすることができる。
【００１６】
本考案のテープ巻き直し装置によると、スリッターが、テープの幅方向に移動可能であるので、スリッターにより切断されるテープの幅を任意に変更することができ、所望の幅のテープを得ることができる。
【００１７】
本考案のテープ巻き直し装置によると、カバーに、巻き替え芯に巻き取られるテープの径を確認可能な確認窓が形成されているので、駆動軸を駆動してテープを巻き替え芯に巻き付ける最中に当該巻き替え芯に巻き取られているテープ径を確認することができるので、所望の径となった時点で、駆動手段を止めることで、所望の径のテープを得ることができる。
【図面の簡単な説明】
【００１８】
【図１】（Ａ）は第一実施形態のテープ巻き直し装置を示す断面図、（Ｂ）は第一実施形態のテープ巻き直し装置を示す平面図。
【図２】第一実施形態のテープ巻き直し装置を説明する斜視図。
【図３】第二実施形態のテープ巻き直し装置を説明する平面図。
【図４】（Ａ）は第二実施形態のテープ巻き直し装置を説明する斜視図、（Ｂ）は第二実施形態のテープ巻き直し装置のスリッターをテープの幅方向に移動させた状態を示す斜視図。
【図５】テープ巻き直し装置により巻き替え芯に巻き替えたテープを用いて配管にテープを巻きつける作業を示す図。
【考案を実施するための形態】
【００１９】
〔第一実施形態〕
以下、本考案にかかるテープ巻き直し装置１の第一実施形態について、図１及び図２を参照しつつ説明する。テープ巻き直し装置１は、ロール芯２に巻き付けられた状態で市販されているテープ３をロール芯２よりも小径の巻き替え芯４に巻き替える装置である。本実施形態におけるテープ３は薄くて細長い帯状に形成されてロール芯２に巻き付けられる形状であればどのようなものであってもよい。例えばテープ３の材質は、セロファンや塩化ビニルなどの樹脂、アルミニウムなどの金属、紙、布などのいずれであってもよい。また、テープ３は、複数の異なる材質の層からなるものであってもよく、一方又は両方の面に粘着層を有する粘着テープであっても、いずれの面にも粘着層を有さない非粘着テープであってもよい。また、ロール芯２は、円筒形状又は円柱形状であり、ボール紙、樹脂、金属などどのような材料のものであってもよい。
【００２０】
テープ巻き直し装置１は、ロール芯２を自転可能に固定する従動軸５と、ロール芯２よりも小径な巻き替え芯４を固定する駆動軸６と、駆動軸６を回転させる可搬式工具に連結可能な連結部７と、従動軸５及び駆動軸６を軸支する２枚のプレート８からなるカバー９とを備えている。従動軸５は、ロール芯２に挿入可能な円筒形状であり、ロール芯２の内径と略等しい外周の径を有している。従動軸５がロール芯２に挿入されたときロール芯２の内周面と従動軸５の外周面とが摩擦しあって、互いに回転不能となる。そして従動軸５は、所定以上のトルクが加わった場合に自転することで、当該従動軸５に外挿されているロール芯２も従動軸５の回転に従って回転することができる。従動軸５の両端部にはそれぞれカバー９の外側に突出する円柱状で外周面にローレット加工が施された操作部１０を有しており、従動軸５及びロール芯２の位置を微調整することができる。なお、従動軸５及びロール芯２は、この構成に限定されるものではなく従動軸５を自転不能に構成し、ロール芯２が従動軸５の外周回りを回転する構成であってもよい。
【００２１】
巻き替え芯４は、金属製の円筒形状に形成されており、ロール芯２から引き出されたテープ３の端部を固定可能に構成されている。巻き替え芯４の材質は金属製に限定されるものではなく、たとえば、樹脂製や紙製などの様々な材料を用いることができる。駆動軸６は、カバー９に対して回転可能で、２枚のプレート８の互いに対向する方向に突出して設けられ、巻き替え芯４の両端部を巻き替え芯４が自転可能となるように支持する部材である。駆動軸６の構成はこれに限定されるものではなく、巻き替え芯４に挿入される円柱形状に形成されていてもよい。
【００２２】
連結部７は、駆動軸６と一体に形成されており、カバー９の外側に突出する円柱形の部材である。カバー９には貫通穴が設けられており、駆動軸６及び連結部７は貫通穴を通して一体化している。連結部７はその外周面にローレット加工が施されるとともに、連結部７の突出方向の端面には、六角レンチを挿入可能な六角穴１１が形成されている。なお、他方の駆動軸６にもカバー９の外側に突出する円柱形状の係止部１２が形成されており、この係止部１２と他方の駆動軸６とが一体化して、カバー９に回転可能に軸支されている。
【００２３】
連結部７は、その六角穴１１に図示しない電動ドリルに装着された六角ビットを挿入して、当該電動ドリルを回転駆動することで回転し、連結部７の回転によって駆動軸６及び駆動軸６に固定されている巻き替え芯４を自転させることができる。なお、本考案における「可搬式工具」は本実施形態においては電動ドリルがこれに相当する。可搬式工具はこれに限定されるものではなく、充電式又は電源ケーブルを有する電動ドリル、圧縮空気式ドリル、又は手動ドリルであっても良い。なお、本考案における「駆動手段」はこのようなドリルに限定されるものではなく、例えば図示しない手動ハンドルであっても良い。また、連結部７は本実施形態においては六角穴１１を有し、当該六角穴１１が駆動手段としての電動ドリルと連結しているが、これに限られるものではなく、六角穴１１に替えて、他のレンチ、スパナ、ドライバなどの工具のビットに嵌合して連結する穴であっても良い。連結部７は駆動手段の回転トルクを駆動軸６に伝達可能な構成であればどのような構成であってもよい。
【００２４】
カバー９は、２枚のプレート８と、当該２枚のプレート８を互いに間隔を開けて固定する円柱形状の支持部１３とからなる。カバー９は少なくとも一方のプレート８が支持部１３から取り外し可能に構成されており、一方のプレート８を取り外すことで、従動軸５の一端を解放し、従動軸５にロール芯２を外挿させることができる。カバー９の一方のプレート８には、巻き替え芯４に巻き取られるテープ３の径を確認可能な確認窓１４が開口している。当該一方のプレート８には、確認窓１４に沿ってテープ３の径を判別するための目盛り１５が形成されている。
【００２５】
テープ３の巻き直し作業は、まず、テープ３が巻き付けられたロール芯２を従動軸５に外嵌するとともに、駆動軸６に巻き替え芯４を固定する。次に、ロール芯２から引き出されたテープ３の先端を巻き替え芯４に固定する。そして、連結部７の六角穴１１に回転駆動する電動ドリルにチャックされた六角ビットを嵌合し、当該電動ドリルを回転させることにより駆動軸６及び巻き替え芯４を回転させて、ロール芯２から巻き替え芯４にテープ３を巻き替える。このとき、カバー９に設けられた確認窓１４を見ることで、巻き替え芯４に巻き取られるテープ３の径を確認することができる。したがって、所望の径となった時点で電動ドリルを止めることで、所望の径のテープ３のロールを得ることができる。
【００２６】
このように、本実施形態のテープ巻き直し装置１によると、きわめて簡単にロール芯２から巻き替え芯４にテープ３を巻き替えることができ、テープ３径を元のテープ３径よりも小さくすることができる。
【００２７】
なお、一方の面に粘着層を有する粘着テープを巻き替え芯４に巻きつける場合には、粘着層となる面がテープ３のロールにおける半径方向の内側を向くように巻きつけることで、配管などへのテープ３の巻き付け作業に適したテープ３のロールを得ることができるが、これに限定されるものではなく、電動ドリルなどの駆動手段を逆回転させることで、粘着層となる面がテープ３のロールにおける半径方向外側を向くように、テープ３を巻き替え芯４に巻きつけることもできる。このように巻きつけて得られたテープ３のロールは、簡易的な清掃用具として利用することができる。
【００２８】
また、本実施形態のテープ巻き直し装置１は、図示しないが、例えばテープ３を幅方向に切断可能なテープカッターを設けておき、ロール芯２又は巻き替え芯４から引き出されたテープ３を当該テープカッターで切断するテープディスペンサーとして利用することもできる。
【００２９】
〔第二実施形態〕
次に本発明のテープ巻き直し装置１の第二実施形態について、図３及び図４を参照しつつ説明する。なお、第一実施形態と同様の構成については同一の符号を付して説明を省略する。テープ巻き直し装置１は、ロール芯２を自転可能に固定する従動軸５と、ロール芯２から引き出されたテープ３を長手方向に切断するスリッター１６と、ロール芯２よりも小径な巻き替え芯４を固定する２つの駆動軸６と、一方の駆動軸６を回転させる可搬式工具に連結可能な連結部７と、一方の駆動軸６から他方の駆動軸６に回転トルクを伝達する伝達部１７と、従動軸５及び駆動軸６を軸支する２枚のプレート８からなるカバー９と、を備えている。従動軸５及びロール芯２は第一実施形態と同様の構成であるので説明を省略する。
【００３０】
スリッター１６は回転刃１８と、回転刃１８を支持する回転軸１９とを有する。スリッター１６は、ロール芯２から引き出されたテープ３が当該回転軸１９に当接して巻き替え芯４に向かう方向にテープ３の方向を変更する。このときテープ３は回転刃１８を通過し、回転刃１８によって２条に分割される。そして、２条に分割されたテープ３はそれぞれ異なる駆動軸６に固定されている巻き替え芯４に巻き取られる。
【００３１】
巻き替え芯４は、第一実施形態と同様の構成であり、２つの駆動軸６にそれぞれ形成されている。駆動軸６は、カバー９に対して回転可能で、２枚のプレート８の互いに対向する方向に突出して設けられ、巻き替え芯４の両端部を巻き替え芯４が自転可能となるように支持する部材であり、カバー９の２箇所に設けられている。また、連結部７は、一方の駆動軸６と一体に形成されカバー９の外側に突出する円柱形の部材である。連結部７はその外周面にローレット加工が施されるとともに、連結部７の突出方向の端面には、六角レンチを挿入可能な六角穴１１が形成されている。伝達部１７は例えば歯車であり、一方の駆動軸６から他方の駆動軸６に回転トルクを伝達する。
【００３２】
連結部７は、その六角穴１１に図示しない電動ドリルに装着された六角ビットを挿入して、当該電動ドリルを回転駆動することで回転し、連結部７の回転によって一方の駆動軸６及び当該駆動軸６に固定されている巻き替え芯４を自転させることができるとともに、伝達部１７によって、他方の駆動軸６に回転トルクが伝わり、当該他方の区同軸に固定されている巻き替え芯４も自転させることができる。
【００３３】
テープ３の巻き直し作業では、まず、テープ３が巻き付けられたロール芯２を従動軸５に外嵌するとともに、２つの駆動軸６にそれぞれ巻き替え芯４を固定する。次に、ロール芯２から引き出されたテープ３をスリッター１６を通して２条に分割し、分割された一方のテープ３を一方の巻き替え芯４に固定し、他方のテープ３を他方の巻き替え芯４に固定する。そして、連結部７の六角穴１１に回転駆動する電動ドリルにチャックされた六角ビットを嵌合し、当該電動ドリルを回転させることにより２つの駆動軸６及び巻き替え芯４を回転させて、ロール芯２から巻き替え芯４にテープ３を巻き替える。
【００３４】
このように、本実施形態のテープ巻き直し装置１によると、スリッター１６がロール芯２から引き出されたテープ３を長手方向に切断し、分割されたテープ３を駆動軸６に固定された巻き替え芯４にそれぞれ巻き取るので、簡単にテープ３の幅を細くすることができる。
【００３５】
なお、図４（Ｂ）に示すように、スリッター１６は、テープ３の幅方向に移動可能に構成してもよい。このように構成すると、スリッター１６が、テープ３の幅方向に移動可能であるので、スリッター１６により切断されるテープ３の幅を任意に変更することができ、所望の幅のテープ３を得ることができる。
【００３６】
以上のように、テープ巻き直し装置１によると、図５に示すように、巻き替え芯４に巻きつけられたテープ３の径α及び幅γを変更することができることで、例えば、建築物の外壁２０に接近して配置されている配管２１にテープ３を巻きつける場合に、当該外壁２０と配管２１との間βに無理なくテープ３のロールを通過させることができるので、テープ３を巻きつけた配管２１の美観や防水性などの施工精度に優れたテープ３の巻き付け作業を容易に行うことができ、また、また、配管２１が湾曲している場所においても、テープ３の幅を短くすることで配管２１に沿って、容易にテープ３を巻きつけることができる。
【００３７】
なお、本考案の実施の形態は上述の形態に限ることなく、本考案の思想の範囲を逸脱しない範囲で適宜変更することができることは云うまでもない。
【産業上の利用可能性】
【００３８】
本考案に係るテープ巻き直し装置１は、例えば空気調和機のドレイン配管に巻きつけるコーテープの径及び幅を変更する装置として、好適に用いることができる。
【符号の説明】
【００３９】
１      テープ巻き直し装置
２      ロール芯
３      テープ
４      巻き替え芯
５      従動軸
６      駆動軸
７      連結部
９      カバー
１４    確認窓
１６    スリッター
【図１】
0003209784.tif 000003
【図２】
0003209784.tif 000004
【図３】
0003209784.tif 000005
【図４】
0003209784.tif 000006
【図５】
0003209784.tif 000007